(57)【要約】【課題】解決しようとする課題は、小さい子供や体の不自由な人や高齢者等にも着脱が容易で、且つ、埃や糸屑などが付着して汚れたり、接着力が低下することのない靴の締具を提供することである。【解決手段】上記の課題を解決するために、本発明の靴は、胛被の内胛被側、もしくは外胛被側に緊締部を設け、その緊締部に、従来あったような面ファスナーの代わりに、靴の締具として、ゴムに磁石の粉末を混ぜて作られたマグネットテープや磁石によって接合することのできるマグネットボタン等を用いて開閉自在とした。【選択図】図１
2007319306.tif 000002
【特許請求の範囲】
【請求項１】
胛被の内胛被側もしくは外胛被側に緊締部を設け、その緊締部の裏面に強磁性材料からなる部材を装着し、接着する胛被部分にも同様に強磁性材料からなる部材を装着し、相互の磁性材料からなる部材が磁気的な引力により引き合う力を用いて、胛被の内胛被側と外胛被側の緊締部が引き付き合うことを特徴とする靴。
【請求項２】
胛被の内胛被部もしくは外胛被側を延長して緊締部となし、緊締部の裏面に強磁性材料からなる部材を装着し、接着する胛被部分にも同様に強磁性材料からなる部材を装着し、相互の磁性材料からなる部材が磁気的な引力により引き合う力を用いて、胛被の内胛被部もしくは外胛被側を延長して作製された緊締部胛被の内胛被側と外胛被側の緊締部が引き付き合うことを特徴とする靴。
【請求項３】
胛被開口部に沿う両胛被の一方に、バンドの一端を固着し、前記バンドの他端を、対向する胛被に設けた環状部を通って胛被開口部と略直交して折り返す構成とし、かつ折り返し側の胛被と前記バンドの折り返し部の裏面と接着する面に強磁性材料からなる部材を装着し、表裏の強磁性材料からなる部材が磁気的な引力により引き合う力を用いて開閉自在とした靴。
【請求項４】
胛被開口部に沿う両胛被の一方に、バンドの一端を固着し、前記バンドの他端を、対向する胛被に設けた環状部を通って胛被開口部と略直交して折り返す構成とし、かつ折り返し側の胛被に強磁性材料からなる部材を装着し、前記バンドの折り返し部の裏面にも強磁性材料からなる部材を互いに装着し、磁気的な引力により引き合う力を用いて開閉自在とした靴。
【請求項５】
請求項１，２，３，４に記載の磁気的な引力により引き合う部材として、どちらか一方、または両方の保磁力が８００００Ａ／ｍ以上を持ち、且つ飽和磁束密度が０．１Ｔ以上であることを特徴とする磁石部材。
【発明の詳細な説明】
【技術分野】
【０００１】
本発明は、締具としてマグネットテープやマグネットボタン等の磁石を用いた靴に関するものである。
【背景技術】
【０００２】
従来、胛被の前部に開口部を有した靴の締具としては、靴紐が一般的であったが、近年面ファスナーを用いたものが種々知られるようになった。この種の靴は胛被開口部の一側辺に面ファスナーの一片を接着したバンドの一端を固着し、対向する胛被上に設けた面ファスナーの対片に着脱自在に接着して、靴の胛部を適宜に締め付ける構造である。しかし、締具として面ファスナーを用いると、面ファスナーの突起部分に埃や糸屑等が付着して粘着力が落ちたり、見た目が悪くなる、という問題点があった。
【０００３】
【特許文献１】特開平１１−４７０４号公報
【特許文献２】特開２００２−２８００６（Ｐ２００２−２８００６Ａ）号公報
【発明の開示】
【発明が解決しようとする課題】
【０００４】
解決しようとする問題点は、着脱が容易で、且つ、埃や糸屑などが付着して汚れることのない靴の締具を提供することである。
【課題を解決するための手段】
【０００５】
上記の課題を解決するために、本発明の靴は、胛被の内胛被側、もしくは外胛被側に緊締部を設け、その緊締部に、従来あったような面ファスナーの代わりに、靴の締具として、ゴムに磁石の粉末を混ぜて作られたマグネットテープや磁石ボタンによって接合することのできるマグネット部材等を用いて開閉自在とした。
用いる磁石部材として、少なくとも対の中の片側の磁石部材の保磁力が８００００Ａ／ｍ以上あり、且つ飽和磁束密度０．１Ｔ以上あることが望ましい。このような材料として、Ｓｍ１Ｃｏ５やＳｍ２Ｃｏ１７等が主成分のＳｍＣｏ系磁石やＮｄ２Ｆｅ１４Ｂ１を主成分とするようなＮｄＦｅＢ系磁石、Ｂａ１Ｆｅ１２Ｏ１９やＳｒ１Ｆｅ１２Ｏ１９等のハードフェライト等が挙げられ、それぞれの焼結磁石、またはプラスチック材料と混ぜて作製されるプラスチック磁石を用いる。このようなハード磁石を用いて対の磁石にする場合と、片側だけをＦｅ,Ｎｉ等からなるソフト磁性材料、またはＭｎＺｎフェライトのような酸化物のソフト磁性材料、更にＳＵＳ３０４のような磁性のあるステンレス等の素材にしても同様な効果が得られる。磁石としては、希土類磁石は高く、また焼結磁石の場合には割れや欠けが発生しやすいために好ましくはプラスチック磁石を用いることが望ましい。
上記のようなマグネットを用いて作製したテープ状のものや磁石からなるボタンにおいて、着磁ベクトルはなるべく、対の相互が付き合う面に垂直方向が望ましく、場合によっては双方の磁石の面においてＮＳが共存するように領域に分けて着磁することでも良い。例えば一つの磁石において、中心部をＮ、外側をＳとして、対の片側の磁石を中心部をＳ、外側をＮとするようなボタンや、磁石からなるテープの長手方向に対して、ＮＳＮＳと並んだようにて着磁するものである。
磁石のボタンの表面や磁石からできたマグネットテープの表面に１ｍｍ以下のビニールや布をかぶせることにより、磁鉄等が付着した時に、磁石の表面にあるビニールや布を取り外すことにより、磁鉄が取れるので、磁石の表面に非磁性の覆いを付けることが好ましい。
具体的には胛被の内胛被側、もしくは外胛被側に緊締部を設け、そこに装着するマグネットテープや磁石として、それらに穴を形成し糸を通して固定化する。または、マグネットテープや磁石を緊締部に接着固定しても良く、もしくはナイロンやポリエチレン等の繊維からなる生地で中に入れた状態で固定することでも良い。同様に磁石部材を熱融着させても同様な効果が得られる。緊締部を強磁性材料からなる繊維で形成することでも同様な効果がある。
【発明の効果】
【０００６】
従来、靴の締具として使われてきた靴紐や面ファスナーと違い、本発明では靴の締具としてマグネットテープやマグネットボタンを用いることで、本発明の靴は体の不自由な人や高齢者等にも履きやすく着脱が容易になっただけでなく、特に面ファスナーのように埃や糸屑などが付着して汚れることがなくなった。
【発明を実施するための最良の形態】
【０００７】
靴の緊締構造として、靴の胛被開口部に沿う両胛被の一方に、バンドの一端を固着し、前記バンドの他端と、それが重なる胛被部分にも締具としてマグネットテープ、もしくはマグネットボタンを装着し、緊締部を設け、着脱自在となるように構成する。
【実施例１】
【０００８】
本発明の実施例について図面を用いて説明する。図１は実施例１の緊締構造を持つ靴の斜視図である。図２は実施例１の狭幅の緊締部３が開いた状態の靴の斜視図である。この靴の緊締部は、内胛被のつま先部を起点とする広幅の緊締部２と、この広幅の緊締部２よりは長めの踏みつけ部を起点とする狭幅の緊締部３とよりなる。狭幅の緊締部３の裏面の適所にマグネットテープ５を装着し、狭幅の緊締部３と重なる外胛被部にもマグネットテープ６を装着し、お互いが磁気的な力により吸着するようにした。
【実施例２】
【０００９】
実施例１に示した対の磁石５．６として、磁石の保磁力や飽和磁束密度を変えたプラスチック磁石を作り、対の磁石が付く力を評価した結果、表のようになった。片側の磁石としてバリウムフェライトの組成としてＢａ１−ｘＺｎｘＦｅ１２Ｏ１９の組成を変えて、保磁力を変えて、飽和磁束密度はポリフェニレンサルファイドの樹脂量を変えて調節を行った。もう片側は純鉄を５０ｗｔ％含んだアクリル系樹脂からなるテープを一定として用いた。この結果、少なくとも保磁力は８００００Ａ／ｍ以上で、且つ飽和磁束密度０．１Ｔ以上あることが望ましいことが分かる。
【００１０】
【表１】
2007319306.tif 000003
【実施例３】
【００１１】
図３は実施例３の緊締構造を持つ靴の斜視図である。この靴の緊締部は、内胛被のつま先部を起点とする広幅の緊締部２と、この広幅の緊締部２よりは長めの踏みつけ部を起点とする狭幅の緊締部３とよりなる。狭幅の緊締部３の裏面の適所にマグネットボタン雄片７を装着し、狭幅の緊締部３と重なる外胛被部にもマグネットボタン雌片８を装着し、お互いが磁気的な力により吸着するようにした。
【実施例４】
【００１２】
図４は実施例４の緊締構造を持つ靴の斜視図である。図５は実施例４の緊締部１０が開いた状態の靴の斜視図である。この靴の胛被９に、つま先部内腰を起点とする先端に行くにつれて先細になる緊締部１０を設け、そしてこの緊締部１０の裏面にはマグネットテープ１２を適所に装着した。そして、緊締部１０と重なる外胛被部にもマグネットテープ１３を装着し、お互いが磁気的な力により吸着するようにした。
【実施例５】
【００１３】
図６は実施例５の緊締構造を持つ靴の斜視図である。この靴の胛被９に、つま先部内腰を起点とする先端に行くにつれて先細になる緊締部１０を設け、そしてこの緊締部１０の裏面にはマグネットボタン雄片１４を適所に装着した。そして、緊締部１０と重なる外胛被部にもマグネットボタン雌片１５を装着し、お互いが磁気的な力により吸着するようにした。
【実施例６】
【００１４】
図７は実施例６の緊締構造を持つ靴の斜視図である。図８は実施例６の緊締部１６が開いた状態の靴の斜視図である。図７において、１８は布、合成皮革、革等で構成された胛被で、１９はゴム、合成樹脂又は革で形成された底で、この胛被１８を吊り込んだ上で底１９を取付けることにより、靴を形成している。この胛被１８には、足首に略相当する履き口が設けられており、さらにこの履き口に連なって胛部側に開口する胛締付け部開口縁２０が設けられている。そして本発明の靴では、この胛締付け部開口縁２０の爪先側に紐１７が、また履き口側にマジックボタン雌雄２２，２３が夫々取付けられ、胛部を締付けて使用するようになっている。
【００１５】
以上のようにして形成した本発明の靴は、紐１７及び緊締部１６によって胛の締付けを行って履用するようになっている。すなわち、靴を履く場合面緊締部１６を外すとともに、紐１７を解いて緩めて足を入れ、まず紐１７を締めることにより足に十分フィットするようにし、この後緊締部１６のマグネットボタン雌雄片２２，２３を係合して磁気的に固着させる。
【００１６】
靴を脱ぐときには、緊締部１６を外して履き口から開口縁４Ａを開くことにより容易に行なうことができる。緊締部１６は、胛締付け部開口縁２０の履き口側の開閉を着脱式に可能にしているが、これにより爪先側が紐１７によって締付けられていても、緊締部１６を外す操作だけで靴を脱ぐことができ、再び靴を履くときも緊締部１６を係合させるだけで行うことができる。
【００１７】
図示の例では、胛締付け部開口縁２０両側に夫々３ケの鳩目を設け、ここに紐１７を挿通して締付けるようになっている。そして紐１７の最も爪先側の基端は、一般の靴と同様胛被１８の指先付根付近に位置させるが、紐１７を用いる場合、この部分を十分に締付けないとフィット感が得られない。従来のように紐のみで胛締付けを行う場合、履き口側の終端に近いほうの紐を強く引いて結ぼうとしても、紐の基端まで十分に締まらないため、このような場合は、一旦紐を緩めて基端から徐々に締付けを行わなければならないことは、良く経験する煩雑な作業である。
【００１８】
本発明では、紐１７と緊締部１６とを組合せて用いることにより、紐１７の長さを比較的に短くし、鳩目の数も少なくすることが可能であるが、胛被１８の指付根付近に硬い革等の材料を配してしまうと、紐の基端を十分に締付けられないことが起きてしまう。本発明ではこのような点を考慮し、たとえ他の部分が硬い素材で構成されていても、胛被１８の少なくとも指付根付近の部分には布や柔らかい革等の柔らかい素材を配する構成とし、紐１７の締付け操作によって基端が十分に締付けられるようにしたものである。勿論この胛被１８の指付根付近を含む広い部分、或いは胛被１８全体が柔らかい素材で構成されている場合であっても、本発明は適用されるものである。
【００１９】
上記態様においては、短靴状のスニーカーに適用した例を示しているが、本発明はこのような靴だけに限定されるものではなく、履き口がさらに高くなった深靴状の靴にも、また爪先に金属や合成樹脂からなる先芯を装着した靴にも適用することができる。特に爪先に先芯を装着した靴においては、靴内で足が動くと硬い先芯に対して足当たりを起こしやすくなるが、本発明の構成にすることにより、このような足当たりを防止することも可能である。
【００２０】
また図示の例では、紐１７は左右３個ずつの鳩目に挿通しているが、この鳩目を左右２個ずつにしたり、４個以上ずつ設けることも可能である。また、緊締部１６については、一般の靴に用いているものと同様の構成を採用することができ、履き口と紐１７の間を略占める適宜な大きさ、形状のものを採用して用いることができる。
【実施例７】
【００２１】
図９は実施例７の緊締構造を持つ靴の斜視図である。図１０は実施例７の緊締部２４の１つが開いた状態の靴の斜視図である。この靴の胛被２５は、開口部が胛被２５の前部から履き口部へ連なり、その両側に胛被部を有し、開口部の下面には先部と一体となった舌片２７が設けられており、前記開口部に沿う両側の胛被２５のそれぞれの先端部は前記舌片２７と縫着されたいわゆる外羽根タイプの胛被である。
【００２２】
そして前記開口部に沿う内胛被には、先部より第１のバンド、第２のバンドが、開口部に略直交して設けられている。それぞれのバンドの自由端は、外胛被に穿設された楕円形の鳩目に挿通して折り返す構成となっている。そしてバンドの折り返し部の裏面にはマグネットテープの片側２８と、掛けフックの雄片２９が縫着されている。
【００２３】
一方、前記バンドの折り返し側の胛被には、補強部材の上にマグネットテープのもう一つの方３１と掛けフックの雌片３０を重合し縫着してあり、前記バンドの折り返し部裏面のマグネットテープの片側２８と前記マグネットテープのもう一つの方３１、前記掛けフックの雄片２９と前記掛けフックの雌片３０は、緊締時その位置が対応するようになっている。マグネットテープ２８，３１は相互が磁気的な力により吸着するようにした。
【実施例８】
【００２４】
図１１は実施例８の緊締構造を持つ靴の斜視図である。この靴の胛被２５は、開口部が胛被２５の前部から履き口部へ連なり、その両側に胛被部を有し、開口部の下面には先部と一体となった舌片２７が設けられており、前記開口部に沿う両側の胛被２５のそれぞれの先端部は前記舌片２７と縫着されたいわゆる外羽根タイプの胛被である。
【００２５】
そして前記開口部に沿う内胛被には、先部より第１のバンド、第２のバンドが、開口部に略直交して設けられている。それぞれのバンドの自由端は、外胛被に穿設された楕円形の鳩目に挿通して折り返す構成となっている。そしてバンドの折り返し部の裏面にはマグネットボタンの雄片３２と、掛けフックの雄片３３が縫着されている。
【００２６】
一方、前記バンドの折り返し側の胛被には、補強部材の上にマグネットボタンの雌片３５と掛けフックの雌片３４を重合し縫着してあり、前記バンドの折り返し部裏面のマグネットボタンの雄片３２と前記マグネットボタンの雌片３５、前記掛けフックの雄片３３と前記掛けフックの雌片３４は、緊締時その位置が対応するようになっている。マグネットボタン３２，３５は相互が磁気的な力により吸着するようにした。
【実施例９】
【００２７】
図１３は実施例９の緊締構造を持つ靴の斜視図である。図１４は図１３の胛被開口部の部分拡大図である。図１５は本発明に用いるバンドの断面図である。図１６は本発明に用いるバンドの断面図である。図１７は本発明に用いるバンドの面ファスナー部材の上面図である。実施例の靴の胛被４２は、開口部が胛被４２の前部から履き口部へ連なり、その両側に胛被部を有し、開口部の下面には先部と一体となった舌片４０が設けられており、前記開口部に沿う両側の胛被４２のそれぞれの先端部は前記舌片４０と縫着されたいわゆる外羽根タイプの胛被である。
【００２８】
そして前記開口部に沿う内胛被には、先部より第１のバンド、第２のバンド、第３のバンドが設けられている。そのうち第１のバンドは足の甲部のボールガース部に相当する位置に、又第３のバンドは足の甲部のインステップガース部に相当する位置に開口部に略直交して設けられている。そして第２のバンドは第１のバンドと第３のバンドとの中間に設けられている。それぞれのバンドの自由端は、外胛被に穿設された楕円形の鳩目に挿通して折り返す構成となっている。そしてバンドの折り返し部の裏面にはマグネットテープの雄片４４が縫着されている。
【００２９】
一方、前記バンドの折り返し側の胛被には、補強部材の上にマグネットテープ雌片４５を重合し縫着してあり、前記バンドの折り返し部裏面のマグネットテープ雄片４４と前記マグネットテープ雌片４５とは、緊締時その位置が対応するようになっている。マグネットテープ４４，４５は相互が磁気的な力により固着するようにした。
【産業上の利用可能性】
【００３０】
本発明の靴は、従来、靴の締具として使われてきた靴紐や面ファスナーの代わりに、締具としてマグネットテープやマグネットボタンを用いることで、着脱が容易になったので、小さい子供や体の不自由な人や高齢者等にも履きやすくなった。また、面ファスナーのように埃や糸屑が付着する事がないので、手入れが簡単である。
【図面の簡単な説明】
【００３１】
【図１】実施例１の靴の斜視図である。
【図２】実施例１の緊締部を開いた状態の靴の斜視図である。
【図３】実施例２の靴の緊締部を開いた状態の靴の斜視図である。
【図４】実施例３の靴の斜視図である。
【図５】実施例３の靴の緊締部を開いた状態の靴の斜視図である。
【図６】実施例４の靴の緊締部を開いた状態の靴の斜視図である。
【図７】実施例５の靴の斜視図である。
【図８】実施例５の靴の緊締部を開いた状態の靴の斜視図である。
【図９】実施例６の靴の斜視図である。
【図１０】実施例６の靴の緊締部を開いた状態の靴の斜視図である。
【図１１】実施例７の靴の緊締部を開いた状態の靴の斜視図である。
【図１２】本発明に用いるマグネットボタンの斜視拡大図である。
【図１３】実施例８の靴の斜視図である。
【図１４】図１３の胛被開口部の部分拡大図である。
【図１５】本発明に用いるバンドの断面図である。
【図１６】本発明に用いるバンドの断面図である。
【図１７】本発明に用いるバンドの上面図である。
【符号の説明】
【００３２】
１ 胛被
２  広幅の緊締部
３  狭幅の緊締部
４ 底
５  狭幅の緊締部の裏面のマグネットテープ
６  外胛被部のマグネットテープ
７ マグネットボタン雄片
８ マグネットボタン雌片
９  胛被
１０  緊締部
１１ 底
１２  緊締部の裏面のマグネットテープ
１３  外胛被部のマグネットテープ
１４  マグネットボタン雄片
１５  マグネットボタン雌片
１６  緊締部
１７  紐
１８  胛被
１９  底
２０  胛締付け部開口縁
２１  舌片
２２ マグネットボタン雄片
２３ マグネットボタン雌片
２４  バンド
２５  胛被
２６  底
２７  舌片
２８  バンドの折り返し部裏面のマグネットテープ
２９  掛けフック雄片
３０  掛けフック雌片
３１  もう一つの方のマグネットテープ
３２ マグネットボタン雄片
３３  掛けフック雄片
３４  掛けフック雌片
３５ マグネットボタン雌片
３６ マグネットボタン雄片
３７ マグネットボタン雌片
３８ 磁石
３９ 磁石
４０  舌片
４１  バンド
４２ 胛被
４３  底
４４  バンドの折り返し部の裏面にはマグネットテープ雄片
４５ マグネットテープ雌片
【図１】
2007319306.tif 000004
【図２】
2007319306.tif 000005
【図３】
2007319306.tif 000006
【図４】
2007319306.tif 000007
【図５】
2007319306.tif 000008
【図６】
2007319306.tif 000009
【図７】
2007319306.tif 000010
【図８】
2007319306.tif 000011
【図９】
2007319306.tif 000012
【図１０】
2007319306.tif 000013
【図１１】
2007319306.tif 000014
【図１２】
2007319306.tif 000015
【図１３】
2007319306.tif 000016
【図１４】
2007319306.tif 000017
【図１５】
2007319306.tif 000018
【図１６】
2007319306.tif 000019
【図１７】
2007319306.tif 000020